(57)【要約】【課題】複雑な操作を要求されることなく、共通の表示条件による異なる種類の表示コンポーネントでのデータ表示可能なデータ表示装置を提供する。【解決手段】操作受付手段１４は、表示手段１２により表示された第１の表示コンポーネントを表示画面２上で指定する操作を受け付けることにより、当該第１の表示コンポーネントの属性セットを保存手段１３から取得する。また、操作受付手段１４は、表示画面２上での操作を受け付けることにより、表示手段２に、当該属性セットに対応する表示条件に従って第２の表示コンポーネントを表示画面２上に表示させる。【選択図】図１
2009003675.tif 000002
【特許請求の範囲】
【請求項１】
データを所定の表示条件に従い、複数種類の表示形式の表示コンポーネントとして表示可能なデータ表示装置において、
所定の表示条件に従って、表示コンポーネントを画面表示する表示手段と、
前記表示手段により表示されている表示コンポーネントに対応する前記表示条件を属性セットとして保存する保存手段と、
前記表示手段により表示された第１の表示コンポーネントを表示画面上で指定する操作を受け付けることにより、当該第１の表示コンポーネントの属性セットを前記保存手段から取得するとともに、前記表示画面上での操作を受け付けることにより、前記表示手段に、当該属性セットに対応する前記表示条件に従って第２の表示コンポーネントを当該表示画面上に表示させる操作受付手段と、
を備えることを特徴とするデータ表示装置。
【請求項２】
前記操作受付手段は、前記第２の表示コンポーネントを前記表示画面上に表示させる際に、前記第２の表示コンポーネントの種類を当該表示画面上で指定する操作を受け付けることを特徴とする請求項１に記載のデータ表示装置。
【発明の詳細な説明】
【技術分野】
【０００１】
本発明は、データを複数種類の表示コンポーネントにより表示可能なデータ表示装置に関する。
【背景技術】
【０００２】
例えば、自動車のエンジンシステムを試験する実験システム（ＬＡシステム）では、エンジンシステムから得られたデータをリアルタイムに表示することで、実験推移を監視している。監視の都合上、データの表示形式として、デジタル表示、アナログメータ、アナログバーなど複数の形式のものが用意されている。一方、データ値の変動範囲は個々のデータ種によって異なっているため、表示条件の設定として、表示レンジや表示単位などの入力操作が必要となる。
【特許文献１】特開平０６−２１４９７４号公報
【発明の開示】
【発明が解決しようとする課題】
【０００３】
しかし、従来のシステムでは、表示条件を個々の表示形式ごとに設定する手順を要求しているため、例えば、複数の表示形式で同一データを並べて表示させたい場合には、それぞれの表示形式について別々に表示条件を設定する必要がある。例えば、同一データをデジタル表示およびアナログメータとして表示したい場合、デジタル表示についての表示条件を設定した後、アナログメータの表示についても同様の操作手順で表示条件を別個に設定する必要がある。したがって、このような場合には煩雑な作業が要求される。
【０００４】
本発明の目的は、複雑な操作を要求されることなく、共通の表示条件による異なる種類の表示コンポーネントでのデータ表示可能なデータ表示装置を提供することにある。
【課題を解決するための手段】
【０００５】
本発明のデータ表示装置は、データを所定の表示条件に従い、複数種類の表示形式の表示コンポーネントとして表示可能なデータ表示装置において、所定の表示条件に従って、表示コンポーネントを画面表示する表示手段と、前記表示手段により表示されている表示コンポーネントに対応する前記表示条件を属性セットとして保存する保存手段と、前記表示手段により表示された第１の表示コンポーネントを表示画面上で指定する操作を受け付けることにより、当該第１の表示コンポーネントの属性セットを前記保存手段から取得するとともに、前記表示画面上での操作を受け付けることにより、前記表示手段に、当該属性セットに対応する前記表示条件に従って第２の表示コンポーネントを当該表示画面上に表示させる操作受付手段と、を備えることを特徴とする。
このデータ表示装置によれば、表示画面上での操作により、第１の表示コンポーネントの属性セットを前記保存手段から取得するとともに、当該属性セットに対応する前記表示条件に従って第２の表示コンポーネントを当該表示画面上に表示させることができるので、複雑な操作を要求されることなく、共通の表示条件による異なる種類の表示コンポーネントでのデータ表示が可能となる。
【０００６】
前記操作受付手段は、前記第２の表示コンポーネントを前記表示画面上に表示させる際に、前記第２の表示コンポーネントの種類を当該表示画面上で指定する操作を受け付けてもよい。
【発明の効果】
【０００７】
本発明のデータ表示装置によれば、表示画面上での操作により、第１の表示コンポーネントの属性セットを前記保存手段から取得するとともに、当該属性セットに対応する前記表示条件に従って第２の表示コンポーネントを当該表示画面上に表示させることができるので、複雑な操作を要求されることなく、共通の表示条件による異なる種類の表示コンポーネントでのデータ表示が可能となる。
【発明を実施するための最良の形態】
【０００８】
以下、図１〜図４を参照して、本発明によるデータ表示装置を実験システム（ＬＡシステム）に適用した一実施形態について説明する。
【０００９】
図１は、実験システムの構成を示すブロック図である。
【００１０】
図１に示すように、実験システムは、種々の情報処理を実行する情報処理装置１と、例えば車両のエンジンシステム等の被試験体４からデータを収集するサーバ５と、を備える。情報処理装置１は、サーバ５からデータを受け取り、必要な情報を表示画面２に表示することにより、被試験体４の自動運転の監視や自動解析を支援する。
【００１１】
図１に示すように、情報処理装置１は、所定の手順に従って、順次、サーバ５からデータを収集するとともに所定の情報処理を実行する情報処理部１１と、所定の表示条件に従って、情報処理部１１での処理結果を表示コンポーネントとして表示画面２に画面表示する表示手段１２と、を備える。これにより、例えば、サーバ５内で刻々と変化する被試験体４のデータや加工されたデータが、表示画面２にリアルタイム表示される。表示コンポーネントは、データを表示する表示形式ごとに用意されている。例えば、表示コンポーネントとして、デジタル表示、アナログメータ、アナログバーなど複数の形式のものが用意されている。
【００１２】
また、情報処理装置１は、表示手段１２により表示画面２に表示されている表示コンポーネントに対応する表示条件を属性セットとして保存する保存手段１３と、キーボードやマウスなどからなる操作部３を介するユーザの操作を受け付ける操作受付手段１４と、を構成する。
【００１３】
図２（ａ）は、表示画面２に被試験体４のデータを表示する際の表示条件を規定する属性セットのデータ構成例を示す図である。図２（ａ）の例では、表示すべきデータの取得元（サーバのオブジェクトを識別する情報）である「現在値取得元」のほか、表示レンジを規定する「上限値」および「下限値」、警報を表示する閾値となる「上限警報値」および「下限警報値」、取得されるデータの名称である「項目名」、データ値の単位である「単位」などが属性セットを構成する。上記のように、個々の表示条件はこのような属性セットとして保存手段１３に保存される。なお、属性セットのデータとして、String型の配列、double型の配列などを用いることができ、この場合、配列要素とデータ種との対応情報を用いて、必要なデータにアクセスできる。また、表示手段１２は、属性セットのデータと、表示画面２上での表示形態とを対応付けるインタフェース機能を持つ。
【００１４】
図２（ｂ）は、表示条件を表示画面２上で設定、編集する際の表示例を示している。図２（ｂ）に示す例では、デジタル表示の表示コンポーネント２１により、上記属性セットの「現在値取得元」（図２（ａ））のデータ値が表示されている。この表示コンポーネント２１の表示条件は、表示画面２上に表示される設定ダイアログ２３を用いてユーザが設定、編集することができる。なお、表示コンポーネント２１の領域２１ａには、取得されるデータの名称である上記「項目名」（図２（ａ））が表示されている。
【００１５】
本実施形態のデータ表示装置では、図１に示す操作受付手段１４は、表示手段１２により表示された第１の表示コンポーネントを表示画面２上で指定する操作を受け付けることにより、当該第１の表示コンポーネントの属性セットを保存手段１３から取得する。また、操作受付手段１４は、表示画面２上での操作を受け付けることにより、表示手段２に、当該属性セットに対応する表示条件に従って第２の表示コンポーネントを表示画面２上に表示させる。
【００１６】
図３（ａ）〜図３（ｃ）は、操作受付手段１４によりユーザの操作を受け付けた際の画面表示例を示す図である。
【００１７】
図３（ａ）では、所定の表示条件（属性セット）に従って、デジタル表示の表示コンポーネント２１により、当該属性セットの「現在値取得元」（図２（ａ））のデータの値が表示されている。ユーザが表示コンポーネント２１にカーソルを置いた状態で操作部３のマウスを右クリックし、表示された項目ボタンの中から「コピー」ボタン２４を選択すると、当該属性セットが保存手段１３から読み込まれる。
【００１８】
次に、図３（ｂ）に示すように、別の表示コンポーネントを表示させたい位置にカーソルを移動させ、マウスを右クリックする。このとき表示される項目ボタン群の中から「貼り付け」ボタン２５を選択すると、新たな表示コンポーネントの表示位置が定まるとともに、表示コンポーネントの種類を示すボタン群が表示される。これらのボタン群の中から、例えばユーザが「アナログメータ」ボタン２６を選択すると、図３（ｃ）に示すように、アナログメータの表示コンポーネント２７が表示される。このとき、アナログメータの表示コンポーネント２７には、デジタル表示の表示コンポーネント２１の属性セットが引き継がれるため、ユーザは表示コンポーネント２７に対して表示条件を設定する作業を要求されない。なお、アナログメータの表示コンポーネント２７の領域２７ａには、デジタル表示の表示コンポーネント２１と同一の「項目名」（図２（ａ））が表示される。
【００１９】
図３（ｃ）に示すように、表示画面２上には、同一データが同一表示条件（同一の属性セット）に従って、デジタル表示の表示コンポーネント２１およびアナログメータの表示コンポーネント２７として並んで表示されることになる。
【００２０】
このように、本実施形態のデータ表示装置によれば、異なる形式の表示コンポーネント間で、コピー＆ペーストの操作を表示画面２上で行うことにより、同一表示条件（同一の属性セット）を引き継ぐことができる。このため、ユーザは表示条件の設定のための同一操作を繰り返す必要がなくなり、既に設定されている表示条件を再利用できる。また、完全に同一の表示条件を適用しない場合であっても、属性セットの編集により表示条件の一部を変更して使用することも容易となる。
【００２１】
また、本実施形態のデータ表示装置では、すべての表示コンポーネントについて、表示条件を共通の属性セットにより規定している。このため、表示条件を個々の表示コンポーネントについて異なる形式で定める場合と異なり、すべての表示コンポーネントについて処理を共通化できる。
【００２２】
属性セットにユーザが名前を付けることで、属性セットの管理をより容易なものとすることができる。図４に示すように、属性セットの名前をリスト２８として表示し、ユーザがリスト２８から属性セットを選択できるようにしてもよい。例えば、選択された属性セットを表示コンポーネント上にドラッグ＆ドロップすると、ドロップした属性セットが当該表示コンポーネントに付与されるようにしてもよい。このように、属性セットに名前を付けることで、表示条件の設定時に、表示条件を容易に識別でき、あるいは、その表示条件の内容を容易に把握することが可能となる。
【００２３】
以上説明したように、本発明のデータ表示装置によれば、表示画面上での操作により、第１の表示コンポーネントの属性セットを前記保存手段から取得するとともに、当該属性セットに対応する前記表示条件に従って第２の表示コンポーネントを当該表示画面上に表示させることができるので、複雑な操作を要求されることなく、共通の表示条件による異なる種類の表示コンポーネントでのデータ表示が可能となる。
【００２４】
本発明の適用範囲は上記実施形態に限定されることはない。本発明は、データを所定の表示条件に従い、複数種類の表示形式の表示コンポーネントとして表示可能なデータ表示装置に対し、広く適用することができる。
【図面の簡単な説明】
【００２５】
【図１】実験システムの構成を示すブロック図。
【図２】属性セットのデータ構成例等を示す図であり、（ａ）は、属性セットのデータ構成例を示す図、（ｂ）は、表示条件を表示画面上で設定、編集する際の表示例を示す図。
【図３】操作受付手段によりユーザの操作を受け付けた際の画面表示例を示す図。
【図４】属性セットの名前をリストとして表示する例を示す図。
【符号の説明】
【００２６】
２      表示画面
１２    表示手段
１３    保存手段
１４    操作受付手段
【図１】
2009003675.tif 000003
【図２】
2009003675.tif 000004
【図３】
2009003675.tif 000005
【図４】
2009003675.tif 000006